(57)【要約】【課題】常に安定して浮遊菌に対する除菌効果を得ることができる電気掃除機を提供する。【解決手段】吸引風を発生させる電動送風機２を内蔵した掃除機本体１と、電気エネルギーを蓄える電気二重層コンデンサ２０と、電気二重層コンデンサ２０への充電を制御する充電制御手段１５と、高圧印加式で、イオン化エアを掃除機本体１外に噴射するイオン化エア発生装置７と、イオン化エア発生装置７の動作を制御するイオン制御手段１６とを備え、イオン制御手段１６は、電気二重層コンデンサ２０に蓄えられたエネルギーを用いてイオン化エア発生装置７を動作させるようにしたもので、掃除機本体１が商用電源（図示せず）から通電されていない状態でも、イオン化エアを掃除機本体１外に噴射して除菌ができるので、使用者の掃除機運転時間や、電気掃除機への通電時間に関わらず、安定して浮遊菌に対して、高い除菌効果を得ることができる。【選択図】図１
2013135783.tif 000002
【特許請求の範囲】
【請求項１】
吸引風を発生させる電動送風機を内蔵した掃除機本体と、電気エネルギーを蓄える蓄電手段と、前記蓄電手段への充電を制御する充電制御手段と、高圧印加式で、イオン化エアを掃除機本体外に噴射するイオン化エア発生装置と、前記イオン化エア発生装置の動作を制御するイオン制御手段とを備え、前記イオン制御手段は、前記蓄電手段に蓄えられたエネルギーを用いて前記イオン化エア発生装置を動作させるようにした電気掃除機。
【請求項２】
掃除機本体と商用電源との電気的接続を検知する電源検知手段を備え、イオン制御手段は、前記掃除機本体と前記商用電源との電気的接続が解除された際に、蓄電手段に蓄えられたエネルギーを用いてイオン化エア発生装置を動作させるようにした請求項１に記載の電気掃除機。
【請求項３】
蓄電手段を、電気二重層コンデンサで構成した請求項１又は２に記載の電気掃除機。
【発明の詳細な説明】
【技術分野】
【０００１】
本発明は、電気掃除機に関するものであり、特にイオン発生装置を備えた電気掃除機に関するものである。
【背景技術】
【０００２】
従来、この種のイオン発生装置を備えた電気掃除機は、イオン発生装置で発生させたイオンを、電気掃除機の運転中に、吸気経路や、電気掃除機の排気に供給し、空気中の浮遊菌を除菌するものが一般的であった（例えば、特許文献１参照）。
【先行技術文献】
【特許文献】
【０００３】
【特許文献１】特開２００３−１５３８３１号公報
【発明の概要】
【発明が解決しようとする課題】
【０００４】
しかしながら、電気掃除機の機器の特長として、使用時にしか通電しない短時間通電機器であることから、前記従来の電気掃除機の構成では、電気掃除機の短い運転時間では浮遊菌を除菌するための充分な時間を確保できず、除菌効果を得る前に、掃除動作が終了し、イオン発生装置への電力供給が終了してしまうという課題を有していた。
【０００５】
本発明は、上記従来の課題を解決するもので、使用者の運転時間や、電気掃除機への通電時間に関わらず、安定した除菌効果を得ることができる電気掃除機を提供することを目的とする。
【課題を解決するための手段】
【０００６】
前記従来の課題を解決するために、本発明の電気掃除機は、吸引風を発生させる電動送風機を内蔵した掃除機本体と、電気エネルギーを蓄える蓄電手段と、前記蓄電手段への充電を制御する充電制御手段と、高圧印加式で、イオン化エアを掃除機本体外に噴射するイオン化エア発生装置と、前記イオン化エア発生装置の動作を制御するイオン制御手段とを備え、前記イオン制御手段は、前記蓄電手段に蓄えられたエネルギーを用いて前記イオン化エア発生装置を動作させるようにしたもので、電気掃除機が商用電源から通電されていない状態でもイオン化エアを掃除機本体外に噴射して除菌ができるので、使用者の電気掃除機の運転時間や、電気掃除機への通電時間に関わらず、安定して浮遊菌に対して、高い除菌効果を得ることができる。
【発明の効果】
【０００７】
本発明の電気掃除機は、蓄電手段に蓄えたエネルギーを用いることで、使用者の電気掃除機の運転時間や、電気掃除機への通電時間に関わらず、安定して浮遊菌に対する除菌効果を得ることができる。
【図面の簡単な説明】
【０００８】
【図１】本発明の実施の形態１における電気掃除機の回路ブロック図
【図２】同電気掃除機の掃除機本体の概略図
【発明を実施するための形態】
【０００９】
第１の発明は、吸引風を発生させる電動送風機を内蔵した掃除機本体と、電気エネルギーを蓄える蓄電手段と、前記蓄電手段への充電を制御する充電制御手段と、高圧印加式で、イオン化エアを掃除機本体外に噴射するイオン化エア発生装置と、前記イオン化エア発生装置の動作を制御するイオン制御手段とを備え、前記イオン制御手段は、前記蓄電手段に蓄えられたエネルギーを用いて前記イオン化エア発生装置を動作させるようにしたもので、電気掃除機が商用電源から通電されていない状態でもイオン化エアを掃除機本体外に噴射して除菌ができるので、使用者の電気掃除機の運転時間や、電気掃除機への通電時間に関わらず、安定して浮遊菌に対して、高い除菌効果を得ることができる。
【００１０】
第２の発明は、特に、第１の発明の掃除機本体と商用電源との電気的接続を検知する電源検知手段を備え、イオン制御手段は、前記掃除機本体と前記商用電源との電気的接続が解除された際に、蓄電手段に蓄えられたエネルギーを用いてイオン化エア発生装置を動作させるようにしたもので、電気掃除機が商用電源から通電されている状態で、蓄電手段のエネルギーを用いてイオン化エア発生装置を動作させると、蓄電手段内に蓄えられたエネルギーが消費されてしまうことになり、電気掃除機への通電が絶たれた際に蓄電手段が供給可能なエネルギーが減少することになる。そこで、電源検知手段を用いて、商用電源との接続が絶たれたことを検知して、蓄電手段のエネルギーを用いてイオン化エア発生装置を動作させることで、必要な時にのみ蓄電手段のエネルギーを使用することになり、非通電時のイオン化エア発生装置の動作時間を長くすることができる。
【００１１】
第３の発明は、特に、第１または第２の発明の蓄電手段を、電気二重層コンデンサで構成したもので、大電流による急速充電が可能となるため、電気掃除機のような短時間しか通電しない機器でも、より早い時間で充電を完了することができる。また、二次電池と比較して充放電回路が簡素化できるため、製品の低コスト化を実現できる。
【００１２】
以下、本発明の実施の形態について、図面を参照しながら説明する。なお、この実施の形態によって本発明が限定されるものではない。
【００１３】
（実施の形態１）
図１は、本発明の実施の形態１における電気掃除機の回路ブロック図、図２は、同電気掃除機の掃除機本体の概略図である。
【００１４】
図１、２において、掃除機本体１の後部には、電動送風機２が配され、前部には、塵埃を捕集する集塵手段４が配されており、電動送風機２によって吸引された塵埃と吸気風の内、塵埃は、集塵手段４で捕集され、吸気風のみを通過させる構成となっている。
【００１５】
掃除機本体１の内部には、イオン化エア発生装置７が搭載されており、掃除機本体１の外部にイオンを含む空気流を噴射する。
【００１６】
イオン化エア発生装置７は、高周波発振回路８、昇圧トランス９、第一の倍電圧整流回路１０、第二の倍電圧整流回路１１、正極性の電極針１２、負極性の電極針１３及びＤＣファンモーター２２から構成されている。
【００１７】
制御手段１４は、充電制御手段１５及びイオン制御手段１６の動作を制御する。電源検知手段５は、掃除機本体１が、商用電源（図示せず）に電気的に接続されているかどうかを検知して、制御手段１４に信号を発信する。
【００１８】
電気エネルギーを蓄える蓄電手段となる電気二重層コンデンサ２０は、充電制御手段１５とイオン制御手段１６に接続されている。電源装置２１は、商用電源からスイッチング等で得られたＤＣ電源であり、電気二重層コンデンサ２０の充電、及びイオン化エア発生装置７を直接駆動するための電気エネルギーを供給するためのものである。
【００１９】
充電制御手段１５及びイオン制御手段１６は、トランジスタ等の半導体スイッチで構成されている。充電制御手段１５は、制御手段１４からの動作信号を受けて、電源装置２１と電気二重層コンデンサ２０を導通させて、電気二重層コンデンサ２０を充電する。イオン制御手段１６は、制御手段１４からの動作信号を受けて、電気二重層コンデンサ２０または電源装置２１とイオン化エア発生装置７を導通させる。
【００２０】
これにより、高周波発振回路８が、電気二重層コンデンサ２０に蓄えられたＤＣ電圧または電源装置２１の出力ＤＣ電圧を高周波ＡＣ電圧に変換し、その電圧を、昇圧トランス９が昇圧する。昇圧トランス９の二次側に発生する高周波電圧を、第一の倍電圧整流回路１０、第二の倍電圧整流回路１１が更に昇圧し、正極性の電極針１２と負極性の電極針１３に印加することで正負のイオンを発生させ、このイオンを、ＤＣファンモーター２２で発生させた空気流で拡散させることで、イオン化エア、すなわち正負のイオンを含む空気流を噴射する構成となっている。
【００２１】
以上のように構成された本実施の形態における電気掃除機について、以下、その動作、作用を説明する。
【００２２】
掃除機本体１が商用電源に電気的に接続されて通電されると、まず電源検知手段５は、制御手段１４に信号を発信し、掃除機本体１が商用電源から通電されている状態であることを伝達する。続いて制御手段１４が、充電制御手段１５を動作させて電気二重層コンデンサ２０の充電を開始する。この充電制御により、電気二重層コンデンサ２０は、商用電源通電時には、一定電圧を維持し、商用電源から切り離されても、電気二重層コンデンサ２０にはエネルギーが蓄えられている。
【００２３】
次に、使用者が操作部（図示せず）を操作し、電気掃除機を運転モードにして、電動送風機２を動作させると、吸引風が発生し床面上の塵埃が吸引されていく。
【００２４】
この時、制御手段１４は、イオン制御手段１６を動作させるが、電源検知手段５からの信号を受けて、商用電源に接続状態であることを検知しているため、電源装置２１からの供給電圧で、イオン化エア発生装置７を駆動し、正イオン及び負イオンを発生させる。発生した正イオン及び負イオンは、掃除機本体１外に排出され、部屋の空気中に滞留している浮遊菌を除菌する。
【００２５】
次に、使用者が、電気掃除機の運転を停止し、掃除作業を終了する場合について述べる。
【００２６】
一般的に、電気掃除機は、使用時（掃除作業時）のみ商用電源に接続し使用する機器であるため、掃除作業が終了すると、使用者は商用電源との接続を解除することが多い。
【００２７】
また、充分な除菌効果を得るためには、ある程度の長い時間、浮遊菌を、正イオン及び負イオンに曝露させる必要がある。
【００２８】
本実施の形態において、使用者が電気掃除機と商用電源との接続を解除したとする。
【００２９】
電源検知手段５は、制御手段１４に信号を発信し、掃除機本体１が商用電源から通電されていない状態であることを伝達する。
【００３０】
すると、制御手段１４は、イオン制御手段１６を動作させて、電気二重層コンデンサ２０に蓄えられた電気エネルギーを用いてイオン化エア発生装置７の動作を継続させる。これにより、商用電源からの電源供給が絶たれても、浮遊菌に対して継続的に正イオン及び負イオンに曝露させることができる。
【００３１】
以上のように、本実施の形態では、電気二重層コンデンサ２０に蓄えられた電気エネルギーを用いてイオン化エア発生装置７を動作させることにより、商用電源からの電源供給が絶たれた非通電時にも、浮遊菌を除菌することが可能となり、使用者の掃除作業時間や、電気掃除機への通電時間に関わらず、安定して高い除菌効果を得ることができる。
【産業上の利用可能性】
【００３２】
以上のように本発明に係る電気掃除機は、使用者の掃除作業時間や、電気掃除機への通電時間に関わらず、安定して高い除菌効果を得ることができる使い勝手の良いもので、家庭用、業務用、店舗用の各種電気掃除機に適用できる。
【符号の説明】
【００３３】
１  掃除機本体
２  電動送風機
４  集塵手段
５  電源検知手段
７  イオン化エア発生装置
８  高周波発振回路
９  昇圧トランス
１０  第一の倍電圧整流回路
１１  第二の倍電圧整流回路
１２  正極性の電極針
１３  負極性の電極針
１４  制御手段
１５  充電制御手段
１６  イオン制御手段
２０  電気二重層コンデンサ（蓄電手段）
２１  電源装置
２２  ＤＣファンモーター
【図１】
2013135783.tif 000003
【図２】
2013135783.tif 000004